【手続補正書】
【提出日】平成24年2月24日(2012.2.24)
【手続補正１】
【補正対象書類名】特許請求の範囲
【補正対象項目名】全文
【補正方法】変更
【補正の内容】
【特許請求の範囲】
【請求項１】
記録媒体を個々に識別するための記録媒体識別情報に対応付けて遊技媒体の貸与に使用される残額を管理する管理装置と、記録媒体の記録媒体識別情報に対応付けて前記管理装置にて管理されている残額である管理残額を用いて前記遊技媒体を貸与するための貸与処理を行なう貸与処理手段を有し遊技機に対応して設けられる遊技用装置と、前記記録媒体の記録媒体識別情報に対応する前記管理残額の精算を行なう精算装置とを備える遊技用システムであって、
前記遊技用装置は、さらに、
前記記録媒体の記録媒体識別情報に対応する管理残額を前記管理装置から取得する管理残額取得手段と、
該管理残額取得手段によって取得された前記管理残額を記憶する残額記憶手段と、
該残額記憶手段に記憶された残額を、前記貸与処理手段による前記貸与処理に用いられる貸与使用額分減算された残額に更新する残額更新手段と、
前記管理装置と通信できる通信可能状態であるか通信できない通信不可能状態であるかを検知する遊技用装置通信可否検知手段とを備え、
前記貸与処理手段は、該遊技用装置通信可否検知手段によって前記通信不可能状態が検知されたときに前記残額記憶手段に記憶された残額が０でないことを条件として、該残額を使用して前記貸与処理を行ない、
前記遊技用装置は、さらに、
前記遊技用装置通信可否検知手段によって通信不可能状態が検知されているときに前記残額記憶手段に記憶された残額から前記貸与処理に使用された額であるオフライン消費額を特定可能なオフライン消費情報を特定する消費情報特定手段と、
該消費情報特定手段によって特定されたオフライン消費情報を前記記録媒体に記録する消費情報記録手段とを備え、
前記精算装置は、さらに、
前記管理装置と通信できる通信可能状態であるか通信できない通信不可能状態であるかを検知する精算装置通信可否検知手段と、
前記精算装置通信可否検知手段によって通信可能状態が検知されているときに前記オフライン消費情報が記録された前記記録媒体が受付けられたことに基づいて、該記録媒体の前記記録媒体識別情報と前記オフライン消費情報とを前記管理装置に送信する消費情報送信手段とを備え、
前記管理装置は、前記消費情報送信手段から受信した記録媒体識別情報に対応付けて管理している前記管理残額を、前記消費情報送信手段から受信したオフライン消費情報により特定される前記オフライン消費額分減算された残額に更新し、
前記精算装置は、さらに、前記消費情報送信手段による送信後の前記管理装置で管理される管理残額に基づいて前記管理残額を特定し、特定した該管理残額の精算を行なう精算手段を含むことを特徴とする、遊技用システム。
【手続補正２】
【補正対象書類名】明細書
【補正対象項目名】０００６
【補正方法】変更
【補正の内容】
【０００６】
（１）  記録媒体（たとえば、会員カード４，ビジタコイン５）を個々に識別するための記録媒体識別情報（たとえば、記録媒体ＩＤ）に対応付けて遊技媒体（たとえば、パチンコ玉）の貸与に使用される残額を（たとえば、ハードディスク５５の残額管理ＤＢにて）管理する管理装置（たとえば、管理装置５０）と、記録媒体の記録媒体識別情報に対応付けて前記管理装置にて管理されている残額である管理残額（たとえば、管理残額）を用いて前記遊技媒体を貸与するための貸与処理を行なう貸与処理手段（たとえば、制御部２１、Ｓ１２１〜Ｓ１３０）を有し遊技機（たとえば、パチンコ機１０）に対応して設けられる遊技用装置（たとえば、玉貸ユニット２０）と、前記記録媒体の記録媒体識別情報に対応する前記管理残額の精算を行なう精算装置と（たとえば、精算装置６０）を備える遊技用システム（たとえば、遊技用システム１）であって、
前記遊技用装置は、さらに、
前記記録媒体の記録媒体識別情報に対応する管理残額を前記管理装置から取得する管理残額取得手段（たとえば、制御部２１、外部通信部２１ｂ、Ｓ２０１、Ｓ２０２、Ｓ２２１、Ｓ２４１）と、
該管理残額取得手段によって取得された前記管理残額を記憶する残額記憶手段（たとえば、制御部２１、Ｓ２２２、Ｓ２４２）と、
該残額記憶手段に記憶された残額を、前記貸与処理手段による前記貸与処理に用いられる貸与使用額（たとえば、使用額＋消費税額）分減算された残額に更新する残額更新手段（たとえば、制御部２１、Ｓ１２９）と、
前記管理装置と通信できる通信可能状態（たとえば、オンライン状態）であるか通信できない通信不可能状態（たとえば、オフライン状態）であるかを検知する遊技用装置通信可否検知手段（たとえば、制御部２１、Ｓ３００）とを備え、
前記貸与処理手段は、該遊技用装置通信可否検知手段によって前記通信不可能状態が検知されたときに前記残額記憶手段に記憶された残額が０でないこと（たとえば、Ｓ５３２でＹであること）を条件として、該残額を使用して前記貸与処理を行ない（たとえば、制御部２１、Ｓ５３３、Ｓ５３４）、
前記遊技用装置は、さらに、
前記遊技用装置通信可否検知手段によって通信不可能状態が検知されているときに前記残額記憶手段に記憶された残額から前記貸与処理に使用された額であるオフライン消費額を特定可能なオフライン消費情報を特定する消費情報特定手段と、
該消費情報特定手段によって特定されたオフライン消費情報を前記記録媒体に記録する消費情報記録手段とを備え、
前記精算装置は、さらに、
前記管理装置と通信できる通信可能状態（たとえば、オンライン状態）であるか通信できない通信不可能状態（オフライン状態）であるかを検知する精算装置通信可否検知手段（たとえば、制御部６２、Ｓ８００）と、
前記精算装置通信可否検知手段によって通信可能状態が検知されているときに前記オフライン消費情報が記録された前記記録媒体が受付けられたことに基づいて、該記録媒体の前記記録媒体識別情報と前記オフライン消費情報とを前記管理装置に送信する消費情報送信手段とを備え、
前記管理装置は、前記消費情報送信手段から受信した記録媒体識別情報に対応付けて管理している前記管理残額を、前記消費情報送信手段から受信したオフライン消費情報により特定される前記オフライン消費額分減算された残額に更新し、
前記精算装置は、さらに、前記消費情報送信手段による送信後の前記管理装置で管理される管理残額に基づいて前記管理残額を特定し、特定した該管理残額の精算を行なう精算手段を含む。
【手続補正３】
【補正対象書類名】明細書
【補正対象項目名】０００８
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】